(57)【要約】【課題】洗浄水の蒸発を防止し、拭きむらや逆汚染がなく、手摺ベルトの表面をクリーンに仕上げ、エスカレータ用多層フイルムの手摺ベルトへの貼着を、蜜にかつ確実に実施可能にする。【解決手段】界面活性剤及び洗浄剤を含む洗浄水を含浸させた汚れ吸着シートＳを、手摺ベルトＶの表面に張付け、この貼り付けられた吸着シートＳを所定時間後に手摺ベルトＶから剥離した後、この手摺ベルトＶの表面にエスカレータ用多層フイルムＡを貼着する。【選択図】図１
2006089215.tif 000002
【特許請求の範囲】
【請求項１】
エスカレータの無端状の手摺ベルトに、広告などの各種情報を表示した多層フイルムを貼着するエスカレータ用多層フイルムの貼着方法であって、
多孔質フィルム或いはスパンレス不織布を帯状に形成した帯状シートを、界面活性剤及び洗浄剤を含む洗浄水に含浸させて汚れ吸着シートを形成し、該汚れ吸着シートを前記手摺ベルトの表面を被うように順次張付け、この汚れ吸着シートを所定時間張付けた後、該汚れ貼着シートを前記手摺ベルトから剥離し、該手摺ベルトの表面に前記エスカレータ用多層フイルムを貼着することを特徴とするエスカレータ用多層フイルムの貼着方法。
【請求項２】
前記汚れ吸着シートは、多孔質フィルム或いはスパンレス不織布を帯状シートに形成し、これをロール状に巻装し、この状態で界面活性剤及び洗浄剤を含む洗浄水の容器に浸積して、該洗浄水を含浸させたことを特徴とする請求項１記載のエスカレータ用多層フイルムの貼着方法。
【請求項３】
前記汚れ吸着シートの手摺ベルトへの張付時間は、３分以上５分以内であることを特徴とする請求項１または２記載のエスカレータ用多層フイルムの貼着方法。
【発明の詳細な説明】
【技術分野】
【０００１】
この発明は、ビルや駅などにおけるエスカレータ或いは動く歩道の手摺ベルトの表面或いは内部に付着している汚れ、油分を除去して、広告などの各種情報が表示された多層フイルムを貼着するエスカレータ用多層フイルムの貼着方法に関する。
【背景技術】
【０００２】
エスカレータや動く歩道と呼ばれる乗客コンベアの手摺ベルトは、利用者の安全を図る上で、重要な役割を果たしているが、一方では利用者が触れるために汚れが付着し、この汚れをそのまま放置して置くと不衛生であり、かつ見苦しくなるので常に清掃を行ってベルトを清潔に保つことが行われている。
【０００３】
この手摺ベルトは、一般に利用者が触れても滑らないようにゴムベルト或いはウレタン製ベルトで形成されている。この手摺ベルト表面を、中性洗剤やシリコン液、有機溶剤（シンナー，トルエン）を用いて、表面の汚れを拭き取る清掃方法が一般的である。また、拭き取り清掃によって落ちない強固な汚れは、ヘラなどの器具を用いて手摺ベルト表面の汚れた部分を掻いて、その汚れを落すことが行われている。
【０００４】
一方、手摺ベルトには、様々な汚れが前記のように付着するが、例えば手に付いた新聞のインクがベルトに付着すると中性洗剤やシリコン液による拭き取り清掃などでは確実に拭き取ることができない。そこで、除去できなかったインクがそのまま放置されると、インクがベルトにこびり付いたり含浸てしまう。
【０００５】
また、手摺ベルトは無端状をなし、手摺ベルトとして上部に現れた後、床下に入り込んで駆動装置付近を通り、いくつものガイドローラーを経て再び地上に現れる。このとき、駆動装置等の潤滑油などに触れて、あるいは潤滑油の跳ね上がりを受けて、手摺ベルトがこの油で汚れ、一部が固化する場合がある。このような場合にも、ウエス等ではこの油の拭き取りが不十分となる場合がある。
【０００６】
このような強固な汚れは、機械的な削り取り作業によって清掃することが多いが、手摺ベルトは一時的に綺麗になるだけで、しばらくすると再び強固な汚れが付着する。
この結果、面倒で時間のかかる削り取り作業を、定期的に実施しなければならず、清掃作業に大変な労力を要していた。
【０００７】
また、このような削り取り作業を頻繁に行うことによってベルトが変形して美観が損なわれるため、ベルト交換が必要となりそのための維持費が嵩んでしまう。
【０００８】
これに対し、手摺ベルトに保護フィルムを被着することにより、面倒な清掃作業が不必要となり、簡単な拭き取りで衛生的使用を可能にし、かつ広告や案内などの情報を乗客コンベアの手摺ベルト上に表示できるエスカレータ用多層フイルムが提供されている（例えば、特許文献１参照）。
【０００９】
このようなエスカレータ用多層フイルムでは、手摺ベルトに被着することで、乗客は乗客コンベアのステップ上に立ち止まっている時間中、そのエスカレータ用多層フイルムに表示された広告情報等を視界に留めることとなる。従って、このエスカレータ用多層フイルムを広告媒体（情報メディア）として使用するメリットが極めて大きい。
【００１０】
また、エスカレータ用多層フイルムの着色などによる装飾的なデザイン、グラフィックスを印刷等により施すことにより、その乗客コンベアの設置場所の雰囲気を任意に変えることができる。
【００１１】
ところで、このようなエスカレータ用多層フイルムを、接着剤や粘着材で乗客コンベアの手摺ベルトへ貼着するには、この手摺ベルトの表面の前記のような油分や汚れを除去する必要がある。ベルト表面に油分が残っていたり、汚れの除去が不完全であると、手摺ベルトに対するエスカレータ用多層フイルムの接着が不完全となり、また接着力が弱まって、短期間で剥離してしまうおそれがある。
【００１２】
従来は、このような手摺ベルトの汚れや油分を、前記のような中性洗剤やシリコン液を使用して、ウエスで拭き取るという方法を採用していた。
【特許文献１】特表２００２‐５３７２００号公報
【発明の開示】
【発明が解決しようとする課題】
【００１３】
しかしながら、従来のエスカレータ用多層フイルムの貼着に当たって実施される手摺ベルトの清掃方法にあっては、汚れや油分のウエスによる拭き取り作業が極めて面倒で労力を要し、また拭きむらを生じていた。特に、汚れを拭き取った後も、ウエスに付着した汚れが、手摺ベルト表面を拭き終えた部分や汚れのない部分を逆汚染してしまうという問題があった。
【００１４】
本発明は、このような従来の問題を解決するもので、界面活性剤を含む洗浄水を含浸した汚れ吸着シートを使用することにより、洗浄水の蒸発を防ぐと共に、拭きむらや逆汚染がなく、手摺ベルト表面をクリーンに仕上げ、続くエスカレータ用多層フイルムの貼着を迅速かつ確実に実施できるエスカレータ用多層フイルムの貼着方法を得るものである。
【課題を解決するための手段】
【００１５】
請求項１の発明に係るエスカレータ用多層フイルムの貼着方法は、エスカレータの無端状の手摺ベルトに、広告などの各種情報を表示した多層フイルムを貼着するエスカレータ用多層フイルムの貼着方法であって、多孔質フィルム或いはスパンレス不織布を帯状に形成した帯状シートを、界面活性剤及び洗浄剤を含む洗浄水に含浸させて汚れ吸着シートを形成し、該汚れ吸着シートを前記手摺ベルトの表面に順次張付け、この汚れ吸着シートを所定時間張付けた後、該貼着シートを前記手摺ベルトから剥離しつつ、該手摺ベルトの表面に前記エスカレータ用多層フイルムを貼着することを特徴とする。
【００１６】
これにより、汚れ吸着シートの自動的または手動的な手摺ベルトへの張付け及び剥離の作業のみで、汚れ吸着シートへの逆汚染を生じることなく、安全かつ効率的に手摺ベルトの表面の汚れと、油分を吸収して、ベルトをクリーンにすることができる。
【００１７】
また、界面活性剤及び洗浄剤を含む洗浄水を含浸させた汚れ吸着シートを用いることで、手摺ベルトのクリーニング工程から、手摺ベルト表面へのエスカレータ用多層フイルムの貼着までの各工程を、効率的に実施できる。
【００１８】
ここで、汚れ吸着シートは、多孔質フイルム或いは不織布などの帯状シートで構成されもので、高圧水流で繊維を絡み合わせるスパンレース法により作られ、ポリエステル、パルプ、リヨセル等のセルロース繊維を含み、前記洗浄水との併用によって、有機溶剤を使用せずに、手摺ベルト表面を傷つけずに拭き上げることができる。多孔質フイルム或いは不織布などの帯状シートは、０．５〜２ｍｍ好ましくは０．５〜１ｍｍの厚さで、洗浄水の蒸発を防止し、手摺ベルトに張付けるときの柔軟性に富んでいる。
【００１９】
また、請求項２の発明に係るエスカレータ用多層フイルムの貼着方法は、前記汚れ吸着シートは、多孔質フィルム或いはスパンレス不織布を帯状シートに形成し、これを管材にロール状に巻装し、この状態で界面活性剤及び洗浄剤を含む洗浄水の容器に浸積して、該洗浄水をほぼ均一に含浸させ、これを密封したことを特徴とする。
【００２０】
これにより、微細空洞の多い多孔質フイルム或いは蜜な不織布の繊維間に、上記水溶液が均一に含浸されるので、貼り付けたとき手摺ベルト表面の汚れ、油取りのクリーニング及び手摺ベルト内部の油取りをムラ無く行うことができ、作業を能率的に実施できる。更に、クリーニング後は手摺ベルト表面へのエスカレータ用多層フイルムの貼着を確実に実施できる。
【００２１】
また、請求項３の発明に係るエスカレータ用多層フイルムの貼着方法は、前記汚れ吸着シートの手摺ベルトへの貼着時間を、３分以上５分以内とするものである。
【００２２】
これにより、手摺ベルト表面のクリーニングや、油分の吸収を能率的に実施でき、クリーニング後は手摺ベルト表面へのエスカレータ用多層フイルムの貼着を確実に実施できる。ここで、貼着時間が３分未満だと、手摺ベルト表面の汚れ、油取りのクリーニング及び手摺ベルト内部の油取りが充分でない。また、５分を超える時間、手摺ベルトに貼着していると、ベルト内部の油分以外の成分まで吸収することななる。
【発明の効果】
【００２３】
本発明によれば、有機塩素系溶剤や石油系溶剤を含まない超純水を中心とする洗浄剤を多孔質フィルムやスパンレス不織布からなる帯状シートに含浸させた汚れ吸着シートを用い、これを手摺ベルトに張付けおよび所定時間後剥離することで、人畜無害に、かつゴムやプラスチックからなる手摺ベルトを傷めることなく、手摺ベルト表面を略完全にクリーンに拭き上げることができる。
この結果、手摺ベルト表面へのエスカレータ用多層フイルムの貼着を、全面に亘って気密的に、隙間なく実施することができる。
【発明を実施するための最良の形態】
【００２４】
以下に、本発明の実施の形態を、図面を参照して説明する。
図５は、エスカレータ用多層フイルムの貼着方法の実施に用いるエスカレータ用多層フイルムを示す断面図である。
【００２５】
図５において、エスカレータ用多層フイルムＡは、一面（上面）に印刷層１を有する印刷ベースフィルム２と、この印刷ベースフィルム２の下面に接着剤層３を介して貼着された剥離紙（セパレータ）４と、前記印刷ベースフィルム２上に接着剤層５を介して貼着された透明オーバーフィルム６と、この透明オーバーフィルム６上に接合されて、剥離容易な接着剤層８を下面に有するガイドフィルム７とを重畳したものからなる。
【００２６】
これらのうち、印刷ベースフィルム２は、これの幅方向の略中央部に、広告や案内などに関する諸情報を文字、図形、模様記号等によりプリントした前記印刷層１を有する。
【００２７】
前記透明オーバーフィルム６は、透明のウレタン樹脂フィルムなどからなる。この透明オーバーフィルム６は、接着剤層５とともに印刷ベースフィルム２に比べて幅方向に広く延出させて耳部９を形成している。この延出している耳部９を手摺ベルトＶ両側の裏側へ密着させることにより、印刷ベースフィルム２を悪戯などによって不用意に剥されるのを防止している。
【００２８】
前記ガイドフィルム７は、例えば透明のテトロンフィルムなどからなり、下面に接着剤層８を有する。このガイドフィルム７は施工後に透明オーバーフィルム６から引き剥される。このガイドフィルム７は、透明オーバーフィルム６に比べて硬い材料で形成したり、厚みを大きくして高度を高めた紙で形成したりすることができる。
【００２９】
このような一体構造のエスカレータ用多層フイルムＡは、図６に示すように、剥離紙４が剥離された上で、エンドレス型の手摺ベルトＶに対してガイドフィルム７を上にして貼り合わされる。この張り合わせに際しては、印刷層１によって表わされる文字や図形などが、手摺ベルトＶの幅方向の略中央位置または平面部にくるように位置合わせする。
【００３０】
次に、図６に示すように、エスカレータ用多層フイルムＡを、各フィルム７、６、２とともに最上部のガイドフィルム７を押圧するようにして、手摺ベルトＶの両側部に、これを巻き込むようにして順次耳部９まで貼り付ける。なお、この貼り付け作業では、密着性を確保するために、ガイドフィルム７上からのスキージやローラによる圧着および摩擦操作が繰り返し行われる。図中、符号１０は、フイルムＡに設けられた空気抜きの切込みを示す。
【００３１】
そして、最後に、ガイドフィルム７を接着材８とともに透明オーバーフィルム６から剥離して、エスカレータ用多層フイルムＡの手摺ベルトＶへの貼り付けを完了する。
【００３２】
ところで、このようなエスカレータ用多層フイルムＡを手摺ベルトＶへの貼り付けに当たっては、予め手摺ベルトＶ表面の汚れや、油取りをするクリーニングが行われる。このクリーニング手順は前記フイルムＡの貼り付け作業と並行して、またはその貼り付け以前に実行される。この手摺ベルトＶ表面のクリーニング手順およびエスカレータ用多層フイルムＡの貼着手順の一例を、図１に示すフローチャートを参照して説明する。
【００３３】
まず、手摺ベルトＶのクリーニングを行うために、ロール状に形成された汚れ吸着シートＳを準備する（ステップＳ1）。この汚れ吸着シートＳは、多孔質フィルム或いはスパンレス不織布を細長い帯状シートに形成する。横幅は、手摺ベルトの両側部を被うことの出きる程度で、好ましくは１５〜２０ｃｍ程度、また長さは、エスカレータの表面長さにもよるが好ましくは長いものでは２０〜４０ｍ単位、短い場合は５〜１５ｍ単位のものとなる。また、厚さは、０．５〜２ｍｍが洗浄水の蒸発を防止し、張付けるときの柔軟性に富んで好適である。この汚れ吸着シートＳとしては、ミクロン単位の微細孔内に油分を吸収する多孔質フィルムや、高圧ジェット水流でウッドパルプとポリエステル繊維を交絡させたスパンレース不織布などが高い吸水性を有するものが、好適に使用される。
【００３４】
これらのうち、多孔質フィルムは、綿のウエスやタオルでは十分な油分の拭き取りが不可能で、油分や化学薬品などの残留を免れ得ないのに対し、この油分や化学成分を略完全に吸収して除去する汚れ取り吸着力を持つものである。
【００３５】
また、スパンレス不織布は、繊維が密に絡まっているため、強度、耐久性が優れ、当初から添加剤、化学薬品、結合材を含まず、ソフトで低発塵性を持ち、水、油、溶剤の吸収力が極めて高いという特徴を持つている。
【００３６】
次に、汚れ吸着シートＳは、図２に示すように、上記多孔質フィルム或いは不織布を前記長さと幅に形成したものを管材にロールＤ状に巻回して形成する。この状態で界面活性剤及び洗浄剤を含む洗浄水１２が入った容器１１に、好ましくは５分以上浸積させて充分に含浸させる。汚れ吸着シートＳの空隙、繊維間で前記洗浄水１２を吸収し、これらの成分を十分に含浸させる（ステップＳ２）。この洗浄水としては、たとえば超純水中に陰イオン界面活性剤、非イオン界面活性剤、金属アセテート、水酸化カリューム、ビルダーなどを含む洗浄水が好適に用いられる。これらの洗浄剤成分は、油成分の吸収力が強いものである。洗浄剤の成分は、配合比で、例えば、水７９．１１％，エチレングリコール９．２７％，イソフロピルアルコール２．０８％，ビルダー４．１６％，陰イオン界面活性剤１．４８％，非イオン界面活性剤１．０５％，金属アセテート％，スイサンカカリウム０．１８％，緑色着色剤０．３６％で構成（エンビロン201）するもので、これを約３０倍に希釈したものが好適に使用される。この汚れ吸着シートＳは、上記洗浄水１２により濡れているのを保持する為、密封容器に入れて、水分の蒸発を防止するのが好適である。
【００３７】
この洗浄水１２は、人畜無害であり、有機塩素系溶剤、石油系溶剤などを全く含まず、水以外の成分は植物性である。従って、この洗浄水は、ゴムやプラスチックからなる手摺ベルトＶなどの洗浄対象物の素材を傷めることがない。
【００３８】
そして、この洗浄水を前記多孔質フィルムやスパンレス不織布からなる帯状シートに含浸させてるので、汚れ吸着シートＳとなっても手摺ベルトＶの表面を拭いたり、一定時間当接すると、汚れや油分を効果的に吸着する。さらに吸着した汚れの手摺ベルトＶへの逆汚染を完全に防止できる。従って、この洗浄水１２を含浸させた多孔質フィルムやスパンレス不織布からなる吸着シートＳを順次使用して、手摺ベルトＶ表面の油取りが行われ、クリーンに仕上げることができる。この洗浄水１２が含浸された汚れ吸着シートＳは、密封容器に収納され、洗浄水の蒸発を防止ししている。
【００３９】
次に、洗浄水１２が含浸された汚れ吸着シートＳを、これを巻装しているロールＤから、図３に示すように、順次繰り出して、手摺ベルトＶの表面並びに両側面に張付ける。このとき、図４に示すように、エスカレータの手摺ベルトＶの回転を一時停止させ、直線状態の手摺ベルトＶ表面と両側面部を被うように、この手摺ベルトＶの直線の一方から他方へ張付ける（ステップＳ３）。汚れ吸着シートＳの張付けは、直線で現れた手摺ベルトＶの長さの単位の巻装ロールＤを使用するのが好適である。
【００４０】
汚れ吸着シートＳは、密閉保持されているので上記洗浄水１２で濡れている状態であることから、手摺ベルトＶの表面並びに両側面にピッタリ密接する。この密接した状態で張付けることにより、手摺ベルトＶ表面及び両側面の汚れ、油分や、手摺ベルト内部に含浸されている油成分が洗浄水の吸収作用により浮き上がり、汚れ吸着シートＳの多孔質部分或いは不織布繊維間に吸着される。
【００４１】
このようにして、手摺ベルトＶに汚れ吸着シートＳを貼り付けた後、このままの状態で、３分以上５分以内貼着状態を保持する。これにより、手摺ベルト表面の汚れクリーニングや、油分の吸収を能率的に実施でき、クリーニング後は手摺ベルト表面へのエスカレータ用多層フイルムの貼着を確実に実施できる。ここで、貼着時間が３分未満だと、手摺ベルト表面の汚れ、油取りのクリーニング及び手摺ベルト内部の油取りが充分でない。また、５分を超える時間、手摺ベルトに貼着していると、ベルト内部の油分以外の成分まで吸収することななる。
【００４２】
前記３〜５分貼付経過後、汚れ吸着シートＳを一端から、例えば上方の手摺ベルトＶからより順次剥離していく（ステップＳ４）。これにより、手摺ベルトＶの汚れ、油分が汚れ吸着シートＳで吸収される。手摺ベルトＶの表面並びに両側面がクリーニングされる。この汚れ吸着シートＳの剥離に続いて、図６に示したように、予め用意した前記エスカレータ用多層フイルムＡを、接着層３を下にして、手摺ベルトＶ表面並びに両側面に貼り付ける（ステップＳ５）。
最後に、貼り初めと貼り終りの位置を合わせた上で、エスカレータ用多層フイルムＡを切断し、エスカレータ用多層フイルムＡの貼着作業を完了する。
【００４３】
このようにして、手摺ベルトＶの略半分乃至１／３に亘って、表面に現れた直線部分にエスカレータ用多層フイルムＡを貼り付けた終わった後、手摺ベルトＶを半回転乃至１／３させ、新しく現れた直線部分に同様な作業を行い前記エスカレータ用多層フイルムＡを残りの手摺ベルトＶに貼着する（ステップＳ６）。
【００４４】
この一連の作業において、汚れ吸着シートＳの手摺ベルトＶへの張付けと剥離、およびエスカレータ用多層フイルムＡの貼着は、種々のメカニカルな機器を使用して自動的に実施できる。そして、前記手摺ベルト（従って、乗客コンベア）Ｖの駆動および汚れ吸着シートＳのロールＤから張付け、剥離を、比較的ゆっくりした一定の間欠タイミングにて連続させることで、手摺ベルトＶのクリーニングと、エスカレータ用多層フイルムＡの貼着の各作業を、効率的に実施できることとなる。
【００４５】
以上のように、界面活性剤及び洗浄剤を含む洗浄水を含浸させた汚れ吸着シートＳを、前記手摺ベルトＶの表面に張付け、この張付けられた汚れ吸着シートＳを所定時間後に手摺ベルトＶから剥離した後、手摺ベルトＶの表面にエスカレータ用多層フイルムＡを貼着するのに、該手摺ベルトＶ表面及び両側面を略完全にクリーンに仕上げることができる。
この結果、この手摺ベルトＶ表面へのエスカレータ用多層フイルムＡの貼着を、確実に、全面に亘って気密的に、確実に行うことができる。
【図面の簡単な説明】
【００４６】
【図１】本発明の実施の形態によるエスカレータ用多層フイルムの貼着方法を示すフローチャート。
【図２】本発明の実施の形態によるロールを水溶液に浸積した状態を示す断面説明図。
【図３】本発明における汚れ吸着シートの繰り出し方法を概念的に示す説明図。
【図４】本発明における貼着方法を概念的に示す説明図。
【図５】本発明の実施の形態によるエスカレータ用多層フイルムを示す断面図。
【図６】本発明の実施の形態によるエスカレータ用多層フイルムを手摺ベルトに貼着した状態を示す断面図。
【符号の説明】
【００４７】
Ａ  エスカレータ用多層フイルム
Ｖ  手摺ベルト
Ｄ  ロール
Ｓ  汚れ吸着シート
【図１】
2006089215.tif 000003
【図２】
2006089215.tif 000004
【図３】
2006089215.tif 000005
【図４】
2006089215.tif 000006
【図５】
2006089215.tif 000007
【図６】
2006089215.tif 000008